(57)【要約】【課題】通風性や採光性を損なうことなく耐震強度を上げることができる耐力壁パネルを提供する。【解決手段】リブ２を縦横に配置して正方形の開口３を上下かつ左右方向に多数形成した硬質樹脂製であり、斜め一列に延びる開口３にはポリカーボネイト製の透明な補強ピース４が充填され、×印を上下に並設したトラス状の筋交いを形成する。【選択図】図１
2008240426.tif 000002
【特許請求の範囲】
【請求項１】
リブを縦横又は斜めに交差して配置して平行四辺形よりなる開口を多数形成した樹脂又は金属製の耐力壁パネルであって、斜め一列又は数列に延びる開口をパネルと同材又は異材で塞いで、筋交いを形成したことを特徴とする耐力壁パネル。
【請求項２】
上記開口を塞ぐ部分が光透過性の樹脂で形成されることを特徴とする請求項１記載の耐力壁パネル。
【請求項３】
開口を塞ぐピースを一定間隔で複数突設したプレートが各ピースをそれぞれ斜め一列又は数列の各開口に嵌着して取付けられることを特徴とする請求項１又は２記載の耐力壁パネル。
【発明の詳細な説明】
【技術分野】
【０００１】
本発明は、軽量で、通風性及び採光性を有し、耐震や通風強度を備えた耐力壁パネルに関する。
【背景技術】
【０００２】
耐震性に優れた建築物を建築するためには、外壁はもちろんのこと、建築物内部を仕切る間仕切り壁を耐力壁とし、これら耐力壁をバランスよく配置する必要があるが、従来の耐力壁は盲壁であるため、視界が遮られ、採光ができないし、通風もできなかった。
【０００３】
そこで下記特許文献１及び２には、採光や通風が可能な開口を有する耐力壁が提案されている。この耐力壁は全体が鋼または樹脂製で、格子状のリブからなっており、外壁として使用するために開口を光透過性の板材で覆うことも提案されている。
【特許文献１】特開２００２−７０２１３号
【特許文献２】特開２００６−７７５６５号
【発明の開示】
【発明が解決しようとする課題】
【０００４】
特許文献１の図１２に示される耐力壁のように、開口を板材で覆えば、止水性を有し、耐震強度も向上するが、通風や採光ができなくなる。
【０００５】
本発明は、通風性や採光性を損なうことなく耐震強度を上げることができる耐力壁パネルを提供することを目的とする。
【課題を解決するための手段】
【０００６】
請求項１に係る発明は、リブを縦横又は斜めに交差して配置して例えば正方形、長方形或いは菱形等の平行四辺形よりなる開口を多数形成した樹脂又は金属製の耐力壁パネルであって、斜め一列又は数列に延びる開口をパネルと同材又は異材で塞いで、筋交いを形成したことを特徴とする。
【０００７】
本発明において、開口を塞ぐ方法としては、例えばパネルと同材又は異材のピースを充填又は嵌着する方法、開口を塞ぐ部分をパネルと一体に形成するか、パネルの成形と同時に形成する方法、等が挙げられる。
【０００８】
請求項２に係る発明は、請求項１に係る発明において、開口を塞ぐ部分が光透過性の樹脂で形成されることを特徴とする。
【０００９】
請求項３に係る発明は、請求項１又は２に係る発明において、開口を塞ぐピースを一定間隔で複数突設したプレートが各ピースをそれぞれ斜め一列又は数列の各開口に嵌着して取付けられることを特徴とする。
【発明の効果】
【００１０】
請求項１に係る発明によると、開口が塞がれるのは斜め一列又は数列に延びる開口だけであるため通風性や採光性が損なわれることがないこと、開口を斜めに塞ぐことにより筋交いと同様の機能を果たしてパネルの耐震及び通風強度を増すこと、開口が部分的に塞がれて模様を呈することから、意匠効果をもたらすこと等の効果を奏する。
【００１１】
請求項２に係る発明によると、採光性がより向上する。
請求項３に係る発明によると、斜め一列又は数列の開口に各補強ピースを一度で同時に嵌着することが可能であり、作業能率が向上すること、斜めに嵌着させるプレートが筋交いとしての強度を増すことができること等の効果を奏する。
【発明を実施するための最良の形態】
【００１２】
以下、本発明の実施形態の耐力壁パネルについて図面により説明する。
図１に示す耐力壁パネル１は、リブ２を縦横に配置して正方形の開口３を上下かつ左右方向に多数形成した鋼製または硬質樹脂製、例えば繊維強化プラスチック、アクリル樹脂、塩化ビニル樹脂、ポリエチレン樹脂製の格子で、斜め一列の開口３には硬質樹脂、好ましくは透明な例えばポリカーボネイト樹脂よりなる正方形の補強ピース４が充填、例えば嵌着して固定されて開口３を塞ぎ、×印を上下に並設したトラス状の筋交いを形成している。
【００１３】
本実施形態の耐力壁パネル１によると、土台と梁との間に配置されるパネルは、斜めに配置した補強ピース４が筋交いの機能を果たし、耐震及び耐風強度を増加させること、開口が塞がれるのは斜め一列だけであるため、通風性や採光性が損なわれることがないこと、開口に充填した補強ピース４で×印を上下に並設したトラス形態の模様を呈し、意匠効果をもたらすこと等の効果を有する。
【００１４】
開口３を塞ぐ部材としての補強ピース４は、該ピース４の意匠性を際立たせるため、着色したものを使用することもでき、また補強ピース４に孔をあけて柱、梁、土台等に固定の固定金具に取り付けたボルトを通すことでパネル１の固定を容易かつ確実に行うことができ、強度の向上も期待することができる。
またパネル１は、その片面又は両面に止水機能のある板材を取り付けることで外壁材として使用することもできる。
【００１５】
図２に示す耐力壁パネル６は、図１に示す耐力壁パネル１において、中央部の上下に正方形の大きな開口７を一対形成し、かつ各開口７の周りの四辺の開口３に補強ピース４を充填してなるもので、補強ピース４が充填されて筋交いとなることによりパネルの強度が上がるため図示するようにパネルの中央部に大きな開口７を形成することができる。
【００１６】
上記各実施形態では、筋交いは斜め一列の開口を補強ピース４で充填することによって形成されているが、斜め２列又は３列の開口３を補強ピース４で充填してもよい。これにより筋交いによる強度をより向上させることができる。
【００１７】
上記各実施形態ではまた、開口３に樹脂製の補強ピース４を嵌着することにより筋交いを形成しているが、パネル１又は６が鋼製で、開口３及び７を打抜きによって形成する場合、補強ピース４が充填される部分を打ち抜かないで図１又は図２に示す耐力壁パネル１又は６と同様の形態の耐力壁パネルを形成することができ、またパネル１又は６が硬質樹脂製である場合、補強ピース４が充填される部分を一体成形することができる。こうしたものにおいては、補強ピース４を充填する作業を省くことができる。
【００１８】
図３に示す耐力壁パネル１１は、リブ１２を斜めに交差して配置して菱形の開口１３を上下かつ左右方向に多数形成した格子の、斜め一列に延びる開口１３に同形の補強ピース４を充填して×印を上下に並設したトラス状の筋交いを形成してなるものである。
本実施形態の耐力壁パネル１１によると、一定幅の筋交いが形成され、筋交いの強度が向上する。
【００１９】
図４は、図１又は図２に示す耐力壁パネル１又は６の開口３に嵌着される補強ピース４をプレート１５上に一定間隔で多数、一体に突出形成してなるものの一部を示すものであり、図５は、図４に示すプレート１５より突設される各補強ピース４を耐力壁パネル１又は６における斜め一列の各開口３に嵌着した断面を示すもので、本実施形態においては、各補強ピース４を各開口３に一度で同時に嵌着することができ、各補強ピース４を個別に各開口３に嵌着するのと比べ、作業能率が向上すること、プレート１５が筋交いとしての強度を向上させることができること等の効果を有する。
【００２０】
図６は、図３に示す耐力壁パネル１１の開口１３に嵌着される補強ピース１７をプレート１８上に一定間隔で多数、一体に突出形成してなるものの一部を示すものであり、図７は、図６に示すプレート１８より突設される各補強ピース１７を斜め一列の各開口１３に嵌着したもので、本実施形態においても、上記と同様の効果を有する。
【００２１】
図８及び図９は、適当形状をなすプレート、例えば図示するような楕円形のリング状プレート２０を用い、該プレート２０に補強ピース２１を適所に複数突設し、各補強ピース２１を図１に示す体力壁パネル１の開口３に嵌着してプレート２０を取付けた例を示すもので、本実施形態においては、耐力壁パネル１にプレート２０を取付けて、該プレート２０による意匠効果をもたらすことができる。
【図面の簡単な説明】
【００２２】
【図１】本発明に係る耐力壁パネルの正面図。
【図２】別の実施形態の耐力壁パネルの正面図。
【図３】更に別の実施形態の耐力壁パネルの正面図。
【図４】開口に充填される補強ピースを突設したプレートの斜視図。
【図５】図４に示すプレートを取付けた箇所の耐力壁パネルの断面図。
【図６】図４に示すプレートを取付けたプレートの別の態様の斜視図。
【図７】図６に示すプレートを取付けた箇所の耐力壁パネルの断面図。
【図８】意匠効果を表すプレートを取付けた図１に示す耐力壁パネルの表面図。
【図９】同裏面図。
【符号の説明】
【００２３】
１、６、１１・・耐力壁パネル
２、１２・・リブ
３、７、１３・・開口
４、１７、２１・・ピース
１５、１８、２０・・プレート
【図１】
2008240426.tif 000003
【図２】
2008240426.tif 000004
【図３】
2008240426.tif 000005
【図４】
2008240426.tif 000006
【図５】
2008240426.tif 000007
【図６】
2008240426.tif 000008
【図７】
2008240426.tif 000009
【図８】
2008240426.tif 000010
【図９】
2008240426.tif 000011